(57)【要約】  本発明は、データ伝送方法および装置を提供する。データ伝送方法は、通信ノードがレイヤ２測定値を取得することと、レイヤ２測定値をＴＣＥに報告することとを含む。別のデータ伝送方法は、ＤＵがＤＵ側レイヤ２測定値を取得することと、前記ＤＵ側レイヤ２測定値をＣＵまたはＴＣＥに送信することとを含む。別のデータ伝送方法は、ＣＵが分散ユニットＤＵにより伝送されたＤＵ側レイヤ２測定値を取得することと、前記ＤＵ側レイヤ２測定値およびＣＵ側レイヤ２測定値をＴＣＥに伝送することとを含む。別のデータ伝送方法は、ＣＵ−ＵＰがＣＵ−ＵＰ側レイヤ２測定値を取得することと、ＣＵ−ＵＰ側レイヤ２測定値をＣＵ−ＣＰに送信するまたはＴＣＥに送信することとを含む。別のデータ伝送方法は、ＣＵ−ＣＰがＣＵ−ＵＰにより伝送されたＣＵ−ＵＰ側レイヤ２測定値を取得することと、前記ＣＵ−ＵＰ側レイヤ２測定値をＴＣＥに伝送することとを含む。
2022502945.tif 000002
【特許請求の範囲】
【請求項１】
通信ノードがレイヤ２測定値を取得することと、
前記通信ノードが前記レイヤ２測定値をトレース収集エンティティＴＣＥに送信することとを含む、
データ伝送方法。
【請求項２】
通信ノードがレイヤ２測定値を取得することは、
前記通信ノードの集中ユニットＣＵが分散ユニットＤＵにより報告されたＤＵ側レイヤ２測定値を取得することと、
前記通信ノードの集中ユニット制御プレーンＣＵ−ＣＰが集中ユニットユーザプレーンＣＵ−ＵＰにより報告されたＣＵ−ＵＰ側レイヤ２測定値を取得することと、の少なくとも１つを含む、
請求項１に記載の方法。
【請求項３】
前記通信ノードのＣＵがＦ１インタフェースを介してＤＵにより報告されたＤＵ側レイヤ２測定値を受信することと、
前記通信ノードのＣＵ−ＣＰがＥ１インタフェースを介してＣＵ−ＵＰにより報告されたＣＵ−ＵＰ側レイヤ２測定値を受信することと、の少なくとも１つを更に含む、
請求項１に記載の方法。
【請求項４】
前記通信ノードが前記レイヤ２測定値をトレース収集エンティティＴＣＥに送信することは、
前記通信ノードのＣＵがＤＵにより報告されたＤＵ側レイヤ２測定値を取得し、前記ＤＵ側レイヤ２測定値を取得した後、前記ＤＵ側レイヤ２測定値およびＣＵ側レイヤ２測定値を前記ＴＣＥに報告することと、
前記通信ノードのＣＵが前記ＣＵ側レイヤ２測定値を前記ＴＣＥに報告し、前記通信ノードのＤＵが前記ＤＵ側レイヤ２測定値を前記ＴＣＥに直接報告することと、の１つを含む、
請求項１に記載の方法。
【請求項５】
前記通信ノードのＤＵが前記ＤＵ側レイヤ２測定値を前記ＴＣＥに直接報告する前に、
前記ＤＵがＦ１インタフェースシグナリングによって前記ＣＵから前記ＴＣＥのＩＰアドレスを取得することと、
前記ＤＵがＯＡＭから前記ＴＣＥのＩＰアドレスを取得することと、の１つを更に含む、
請求項４に記載の方法。
【請求項６】
前記通信ノードが前記レイヤ２測定値をトレース収集エンティティＴＣＥに送信することは、
前記通信ノードのＣＵ−ＣＰがＣＵ−ＵＰ側レイヤ２測定値を取得し、前記ＣＵ−ＵＰ側レイヤ２測定値を取得した後、取得した前記ＣＵ−ＵＰ側レイヤ２測定値をＴＣＥに報告することと、
前記通信ノードのＣＵ−ＵＰがＣＵ−ＵＰ側レイヤ２測定値を前記ＴＣＥに直接報告することと、の１つを含む、
請求項１に記載の方法。
【請求項７】
前記通信ノードのＣＵ−ＵＰが前記ＣＵ−ＵＰ側レイヤ２測定値を前記ＴＣＥに直接報告する前に、
前記ＣＵ−ＵＰがＥ１インタフェースシグナリングによって前記ＣＵ−ＣＰから前記ＴＣＥのＩＰアドレスを取得することと、
前記ＣＵ−ＵＰがＯＡＭから前記ＴＣＥのＩＰアドレスを取得することと、の１つを更に含む、
請求項６に記載の方法。
【請求項８】
前記レイヤ２測定値は、
上り・下りのパケットロス率、インタフェース遅延、エアインタフェース遅延、上り・下りのＰＲＢ使用率、ＲＲＣ接続数、上り・下りのＵＥスループット、の少なくとも１つを含む、
請求項１〜７のいずれか１項に記載の方法。
【請求項９】
分散ユニットＤＵがＤＵ側レイヤ２測定値を取得することと、
ＤＵが前記ＤＵ側レイヤ２測定値を集中ユニットＣＵに送信するまたはトレース収集エンティティＴＣＥに直接送信することと、を含む、
データ伝送方法。
【請求項１０】
ＤＵが前記ＤＵ側レイヤ２測定値をＣＵに送信することは、
前記ＤＵがＦ１インタフェースを介して前記ＤＵ側レイヤ２測定値を前記ＣＵに送信することを含む、
請求項９に記載の方法。
【請求項１１】
ＤＵが前記ＤＵ側レイヤ２測定値をＴＣＥに直接送信する前に、
前記ＤＵがＣＵから前記ＴＣＥのＩＰアドレスを取得することと、
前記ＤＵがＯＡＭから前記ＴＣＥのＩＰアドレスを取得することと、の１つを更に含む、
請求項９に記載の方法。
【請求項１２】
集中ユニットＣＵが分散ユニットＤＵにより伝送されたＤＵ側レイヤ２測定値を取得することと、
ＣＵが前記ＤＵ側レイヤ２測定値およびＣＵ側レイヤ２測定値をトレース収集エンティティＴＣＥに伝送することと、を含む、
データ伝送方法。
【請求項１３】
集中ユニットユーザプレーンＣＵ−ＵＰがＣＵ−ＵＰ側レイヤ２測定値を取得することと、
ＣＵ−ＵＰが前記ＣＵ−ＵＰ側レイヤ２測定値を集中ユニット制御プレーンＣＵ−ＣＰに送信するまたはトレース収集エンティティＴＣＥに直接送信することと、を含む、
データ伝送方法。
【請求項１４】
ＣＵ−ＵＰが前記ＣＵ−ＵＰ側レイヤ２測定値をＣＵ−ＣＰに送信することは、
前記ＣＵ−ＵＰがＥ１インタフェースを介して前記ＣＵ−ＵＰ側レイヤ２測定値を前記ＣＵ−ＣＰに送信することを含む、
請求項１３に記載の方法。
【請求項１５】
ＣＵ−ＵＰが前記ＣＵ−ＵＰ側レイヤ２測定値をＴＣＥに直接送信する前に、
前記ＣＵ−ＵＰがＣＵ−ＣＰから前記ＴＣＥのＩＰアドレスを取得することと、
前記ＣＵ−ＵＰがＯＡＭから前記ＴＣＥのＩＰアドレスを取得することと、の１つを更に含む、
請求項１３に記載の方法。
【請求項１６】
集中ユニット制御プレーンＣＵ−ＣＰが集中ユニットユーザプレーンＣＵ−ＵＰにより伝送されたＣＵ−ＵＰ側レイヤ２測定値を取得することと、
ＣＵ−ＣＰが前記ＣＵ−ＵＰ側レイヤ２測定値をトレース収集エンティティＴＣＥに伝送することと、を含む、
データ伝送方法。
【請求項１７】
通信ノードに適用され、
レイヤ２測定値を取得するように構成される取得モジュールと、
前記レイヤ２測定値をトレース収集エンティティＴＣＥに送信するように構成される送信モジュールと、を備える、
データ伝送装置。
【請求項１８】
分散ユニットＤＵに適用され、
ＤＵ側レイヤ２測定値を取得するように構成される取得モジュールと、
前記ＤＵ側レイヤ２測定値を集中ユニットＣＵまたはトレース収集エンティティＴＣＥに送信するように構成される送信モジュールと、を備える、
データ伝送装置。
【請求項１９】
集中ユニットに適用され、
分散ユニットＤＵにより伝送されたＤＵ側レイヤ２測定値を取得するように構成される取得モジュールと、
前記ＤＵ側レイヤ２測定値およびＣＵ側レイヤ２測定値をトレース収集エンティティＴＣＥに伝送するように構成される送信モジュールと、を備える、
データ伝送装置。
【請求項２０】
集中ユニットユーザプレーンＣＵ−ＵＰに適用され、
ＣＵ−ＵＰ側レイヤ２測定値を取得するように構成される取得モジュールと、
前記ＣＵ−ＵＰ側レイヤ２測定値を集中ユニット制御プレーンＣＵ−ＣＰまたはトレース収集エンティティＴＣＥに送信するように構成される送信モジュールと、を備える、
データ伝送装置。
【請求項２１】
集中ユニット制御プレーンＣＵ−ＣＰに適用され、
集中ユニットユーザプレーンＣＵ−ＵＰにより伝送されたＣＵ−ＵＰ側レイヤ２測定値を取得するように構成される取得モジュールと、
前記ＣＵ−ＵＰ側レイヤ２測定値をトレース収集エンティティＴＣＥに伝送するように構成される送信モジュールと、を備える、
データ伝送装置。
【請求項２２】
実行されると前記請求項１〜１６のいずれか１項に記載の方法を実現するように設定されるコンピュータプログラムが記憶されている、
記憶媒体。
【請求項２３】
メモリとプロセッサとを備え、
前記メモリにコンピュータプログラムが記憶され、
前記プロセッサは、前記請求項１〜１６のいずれか１項に記載の方法を実現するために前記コンピュータプログラムを実行させるように構成される、
電子装置。
【発明の詳細な説明】
【技術分野】
【０００１】
本発明は、２０１８年０９月２８日に中国専利局に提出された出願番号が２０１８１１１４１９０８．９である中国特許出願に対して優先権を主張するものであり、該出願の全ての内容を引用により本発明に援用する。
［技術分野］
本発明は、通信分野に関するが、これらに限定されず、例えば、データ伝送方法および装置に関するが、これらに限定されない。
【背景技術】
【０００２】
通信技術において、ドライブテストは、移動体通信ネットワークの状況を反映し、ネットワーク性能指標に対して直接的な測定評価作用を果たし、ネットワークの問題点を示すことができる。ドライブテストは、事業者がネットワークの最適化を行う重要な手段である。従来のドライブテスト方法として、事業者または第三者の会社は、モニタリングや最適化する必要のある領域をテストし、ドライブテスト計器で信号レベル、品質等のネットワークデータを収集し、これらデータを分析することにより、ネットワークに存在する問題を発見する。このような方式は、常に大量の人力、物資および経費投資が必要となるとともに、ネットワークの最適化作業者に対しても非常に高い経験が要求される。
【０００３】
最小化ドライブテスト（Ｍｉｎｉｍｉｚａｔｉｏｎ  ｏｆ  ｄｒｉｖｅ  ｔｅｓｔｓ、ＭＤＴ）技術は主に、端末装置が報告した測定レポートに基づき、ネットワークの最適化に必要なレイヤ２測定値等の関連パラメータを取得し、事業者ネットワークの最適化およびメンテナンスコストを低減するという目的を達成する。従来のドライブテストと比べ、ＭＤＴは、省エネルギー化し、ドライブテストのオーバーヘッドを減少させ、最適化周期を短縮し、より高いユーザ満足度をもたらすことができ、且つ、従来のドライブテストで行うことができない全領域の測定の情報（例えば、狭い道、森、プライベート場所等）を収集することができる。
【０００４】
最小化ドライブテストの機能は、ユーザ装置（Ｕｓｅｒ  Ｅｑｕｉｐｍｅｎｔ、ＵＥ）を利用してレイヤ２測定値等の測定情報を自動的に収集することと、制御プレーンのシグナリングを介して、Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ、進化したＵＭＴＳ地上無線アクセスネットワーク）システムにおける進化型基地局ｅＮＢおよびＮＲシステムにおける次世代基地局ｇＮＢに対応する無線アクセスネットワーク（Ｒａｄｉｏ  Ａｃｃｅｓｓ  Ｎｅｔｗｏｒｋ、ＲＡＮ）に報告することと、更に無線アクセスネットワークを介してトレース収集エンティティ（Ｔｒａｃｅ  Ｃｏｌｌｅｃｔｉｏｎ  Ｅｎｔｉｔｙ、ＴＣＥ）に報告することとを含む。最小化ドライブテストは、ネットワークの最適化、例えば、ネットワークカバレッジの問題を発見して解決するために使用される。
【０００５】
ＵＥのＭＤＴ測定を行なう時の状態に応じ、ＭＤＴのモードは、更に、ログＭＤＴ（Ｌｏｇｇｅｄ  ＭＤＴ）と即時ＭＤＴ（Ｉｍｍｅｄｉａｔｅ  ＭＤＴ）とに分けることができる。ログＭＤＴのモードで、ＵＥは、無線リソース接続制御（Ｒａｄｉｏ  Ｒｅｓｏｕｒｃｅ  Ｃｏｎｔｒｏｌ、ＲＲＣ）のアイドル状態（ＩＤＬＥ）で測定して記録する。即時ＭＤＴ（Ｉｍｍｅｄｉａｔｅ  ＭＤＴ）のモードで、ＵＥは、ＲＲＣ接続状態で測定して報告する。ＵＥがＭＤＴ測定を行う場合、必要なＭＤＴ設定情報は、領域範囲Ａｒｅａ  ｓｃｏｐｅ、トレース参照Ｔｒａｃｅ  Ｒｅｆｅｒｅｎｃｅ、ＵＥが行う必要のある測定のタイプ、およびＴＣＥのＩＰアドレス等を含む。
【０００６】
５Ｇ（Ｆｉｆｔｈ  Ｇｅｎｅｒａｔｉｏｎ、第５世代移動通信）において、基地局は、集中ユニット（Ｃｅｎｔｒａｌ  Ｕｎｉｔ、ＣＵ）および分散ユニット（Ｄｉｓｔｒｉｂｕｔｅｄ  Ｕｎｉｔ、ＤＵ）という２つの部分に分けることができ、１つの基地局が１つのＣＵを有し、１つの基地局が複数のＤＵを有してもよく、集中ユニット−分散ユニット分離（ＣＵ／ＤＵ  Ｓｐｌｉｔ）と呼ばれ、ＣＵとＤＵとの間のインタフェースはＦ１インタフェースと呼ばれる。ＣＵは、ＣＵ−ＣＰ（Ｃｏｎｔｒｏｌ  Ｐｌａｎｅ、ＣＰ）とＣＵ−ＵＰ（Ｕｓｅｒ  Ｐｌａｎｅ、ＵＰ）とに分けることができ、１つのＣＵが１つのＣＰを有し、１つのＣＵが複数のＵＰを有してもよく、制御プレーン−ユーザプレーン分離（ＣＰ／ＵＰ  Ｓｐｌｉｔ）と呼ばれ、ＣＰとＵＰとの間のインタフェースはＥ１インタフェースと呼ばれる。関連技術の５Ｇ等の新しい無線のシーンにおいて、端末装置は、レイヤ２測定値の報告を実現することができない。
【発明の概要】
【発明が解決しようとする課題】
【０００７】
本発明の実施例は、データ伝送方法および装置を提供する。
【課題を解決するための手段】
【０００８】
本発明の一実施例によれば、データ伝送方法は、通信ノードがレイヤ２測定値を取得することと、前記通信ノードが前記レイヤ２測定値をトレース収集エンティティＴＣＥに送信することとを含む。
【０００９】
本発明の別の実施例によれば、分散ユニットＤＵがＤＵ側レイヤ２測定値を取得することと、ＤＵが、前記ＤＵ側レイヤ２測定値を集中ユニットＣＵに送信するまたはトレース収集エンティティＴＣＥに直接送信することとを含むデータ伝送方法を更に提供する。
【００１０】
本発明の別の実施例によれば、データ伝送方法は、集中ユニットＣＵが分散ユニットＤＵにより伝送されたＤＵ側レイヤ２測定値を取得することと、ＣＵが前記ＤＵ側レイヤ２測定値およびＣＵ側レイヤ２測定値をトレース収集エンティティＴＣＥに伝送することとを含む。
【００１１】
本発明のまた別の実施例によれば、データ伝送方法は、集中ユニットユーザプレーンＣＵ−ＵＰがＣＵ−ＵＰ側レイヤ２測定値を取得することと、ＣＵ−ＵＰが、前記ＣＵ−ＵＰ側レイヤ２測定値を集中ユニット制御プレーンＣＵ−ＣＰに送信するまたはトレース収集エンティティＴＣＥに直接送信することとを含む。
【００１２】
本発明の更なる実施例によれば、データ伝送方法は、集中ユニット制御プレーンＣＵ−ＣＰがＣＵ−ＵＰにより伝送されたＣＵ−ＵＰ側レイヤ２測定値を取得することと、ＣＵ−ＣＰが前記ＣＵ−ＵＰ側レイヤ２測定値をトレース収集エンティティＴＣＥに伝送することとを含む。
【００１３】
本発明の一実施例によれば、データ伝送装置は、通信ノードに適用され、レイヤ２測定値を取得するように構成される第１取得モジュールと、前記レイヤ２測定値をトレース収集エンティティＴＣＥに送信するように構成される第１送信モジュールとを備える。
【００１４】
本発明の別の実施例によれば、データ伝送装置は、分散ユニットＤＵに適用され、分散ユニットＤＵ側レイヤ２測定値を取得するように構成される第２取得モジュールと、前記ＤＵ側レイヤ２測定値を集中ユニットＣＵに送信するまたはトレース収集エンティティＴＣＥに直接送信するように構成される第２送信モジュールとを備える。
【００１５】
本発明のまた別の実施例によれば、データ伝送装置は、集中ユニットに適用され、分散ユニットＤＵにより伝送されたＤＵ側レイヤ２測定値を取得するように構成される第３取得モジュールと、前記ＤＵ側レイヤ２測定値およびＣＵ側レイヤ２測定値をトレース収集エンティティＴＣＥに伝送するように構成される第３送信モジュールとを備える。
【００１６】
本発明の更なる実施例によれば、データ伝送装置は、集中ユニットユーザプレーンＣＵ−ＵＰに適用され、ＣＵ−ＵＰ側レイヤ２測定値を取得するように構成される第４取得モジュールと、前記ＣＵ−ＵＰ側レイヤ２測定値を集中ユニット制御プレーンＣＵ−ＣＰに送信するまたはトレース収集エンティティＴＣＥに直接送信するように構成される第４送信モジュールとを備える。
【００１７】
本発明の別の実施例によれば、データ伝送装置は、集中ユニット制御プレーンＣＵ−ＣＰに適用され、集中ユニットユーザプレーンＣＵ−ＵＰにより伝送されたＣＵ−ＵＰ側レイヤ２測定値を取得するように構成される第５取得モジュールと、前記ＣＵ−ＵＰ側レイヤ２測定値をトレース収集エンティティＴＣＥに伝送するように構成される第５送信モジュールとを備える。
【００１８】
本発明の一実施例は、実行されると上記いずれかのデータ伝送方法を実現するように設定されるコンピュータプログラムが記憶されている記憶媒体を更に提供する。
【００１９】
本発明のまた別の実施例によれば、電子装置は、メモリとプロセッサとを備え、前記メモリにコンピュータプログラムが記憶され、前記プロセッサは、上記いずれかのデータ伝送方法を実現するために前記コンピュータプログラムを実行させるように構成される。
【図面の簡単な説明】
【００２０】
【図１】移動端末のハードウェア構造の模式的なブロック図である。
【図２】本発明の実施例によるデータ伝送方法のフローチャートである。
【図３】本発明の実施例１によるｇＮＢ−ＣＵがレイヤ２測定レポートを一括して報告する模式図である。
【図４】本発明の実施例２によるＣＵおよびＤＵがレイヤ２測定レポートをそれぞれ報告する模式図である。
【図５】本発明の実施例３によるｇＮＢ−ＤＵがＯＡＭからＴＣＥのＩＰアドレスを取得した後にＣＵおよびＤＵがレイヤ２測定レポートをそれぞれ報告する模式図である。
【図６】本発明の実施例４によるｇＮＢ−ＣＵ−ＣＰがレイヤ２測定レポートを報告する模式図である。
【図７】本発明の実施例５によるｇＮＢ−ＣＵ−ＵＰがｇＮＢ−ＣＵ−ＣＰからＭＤＴ設定を取得した後にＣＵ−ＵＰがレイヤ２測定レポートを直接報告する模式図である。
【図８】本発明の実施例６によるｇＮＢ−ＣＵ−ＵＰがＯＡＭからＴＣＥのＩＰアドレスを取得した後にＣＵ−ＵＰがレイヤ２測定レポートを直接報告する模式図である。
【発明を実施するための形態】
【００２１】
以下、図面および実施例を参照しながら本発明について詳細に説明する。
本発明の実施例は、移動体通信ネットワーク（５Ｇ移動体通信ネットワークを含んでもよいが、これらに限定されない）を提供し、該ネットワークのネットワークアーキテクチャは、ネットワーク側デバイス（例えば、基地局）および端末（移動端末を含む）を備えることができる。本発明の実施例は、上記ネットワークアーキテクチャで行なえるデータ伝送方法を少なくとも提供する。
【００２２】
本発明の実施例に係る方法の実施例は、通信ノードまたは類似する演算装置で行なえる。通信ノードで行なえることを例とし、図１に示すように、通信ノード１０は、１つまたは複数の（図１には１つのみが示されている）プロセッサ１０２（プロセッサ１０２は、マイクロプロセッサＭＣＵ、またはプログラマブル論理デバイスＦＰＧＡ等の処理装置を含んでもよいが、これらに限定されない）と、データを記憶するように構成されるメモリ１０４とを備えてもよく、上記通信ノードは、通信機能に構成される伝送装置１０６と入出力デバイス１０８とを更に備えてもよい。当業者は、図１に示す構造が例示的なものに過ぎず、上記通信ノードの構造を限定するものではないことが理解できる。例えば、通信ノード１０は、図１に示すものより多いまたはより少ないコンポーネントを含んでもよいし、または図１に示す構成と異なる構成を有してもよい。
【００２３】
メモリ１０４は、本発明の実施例におけるデータ伝送方法に対応するプログラム命令／モジュールのようなアプリケーションソフトウェアのソフトウェアプログラムおよびモジュールを記憶するように構成でき、プロセッサ１０２は、メモリ１０４内に記憶されたソフトウェアプログラムおよびモジュールを実行させることにより、様々な機能アプリケーションおよびデータ処理を行ない、即ち、上記データ伝送方法を実現する。メモリ１０４は、高速ランダムメモリを含んでもよく、１つまたは複数の磁気記憶装置、フラッシュメモリ、または他の不揮発性固体メモリのような不揮発性メモリを更に含んでもよい。いくつかの実例において、メモリ１０４は、プロセッサ１０２に対してリモートに設けられたメモリを含んでもよく、これらリモートメモリは、ネットワークを介して通信ノード１０に接続することができる。上記ネットワークの実例は、インターネット、イントラネット、ローカルエリアネットワーク、移動体通信ネットワークおよびその組み合わせを含んでもよいが、これらに限定されない。
【００２４】
伝送装置１０６は、１つのネットワークを介してデータを受信または送信するように構成される。上記ネットワークの実例は、通信ノード１０の通信プロバイダが提供する無線ネットワークを含んでもよい。１つの実例において、伝送装置１０６は、基地局を介して他のネットワークデバイスに接続してインターネットと通信できる１つのネットワークアダプタ（Ｎｅｔｗｏｒｋ  Ｉｎｔｅｒｆａｃｅ  Ｃｏｎｔｒｏｌｌｅｒ、ＮＩＣ）を備える。１つの実例において、伝送装置１０６は、無線方式でインターネットと通信するように構成される無線周波数（Ｒａｄｉｏ  Ｆｒｅｑｕｅｎｃｙ、ＲＦ）モジュールであってもよい。
【００２５】
実施例１
本実施例は、上記通信ノードで行なわれるデータ伝送方法を提供し、図２は、本発明の実施例によるデータ伝送方法のフローチャートであり、図２に示すように、該フローは以下のステップを含む。
【００２６】
ステップＳ２０２において、通信ノードがレイヤ２測定値を取得する。
上記通信ノードは基地局であってもよく、レイヤ２とは、通信システムにおけるｌａｙｅｒ２を指し、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）、無線リンク層制御プロトコル（Ｒａｄｉｏ  Ｌｉｎｋ  Ｃｏｎｔｒｏｌ、ＲＬＣ）、および媒体アクセス制御層プロトコル（Ｍｅｄｉａ  Ａｃｃｅｓｓ  Ｃｏｎｔｒｏｌ、ＭＡＣ）を含み、レイヤ２測定値、即ち、レイヤ２で処理する測定値は、上り・下りのパケットロス率、インタフェース遅延、エアインタフェース遅延、上り・下りのＰＲＢ（Ｐｈｙｓｉｃａｌ  Ｒｅｓｏｕｒｃｅ  Ｂｌｏｃｋ物理リソースブロック）使用率、ＲＲＣ（Ｒａｄｉｏ  Ｒｅｓｏｕｒｃｅ  Ｃｏｎｔｒｏｌ、無線リソース制御）接続数、上り・下りのＵＥスループットというｌａｙｅｒ  ２のパラメータを含んでもよい。
【００２７】
ステップＳ２０４において、前記通信ノードが前記レイヤ２測定値をトレース収集エンティティＴＣＥに送信する。
【００２８】
上記ステップにより、通信ノードはレイヤ２測定値を取得し、レイヤ２測定値をＴＣＥに報告し、関連技術における新しい無線に適用されるレイヤ２測定データの報告スキームが欠けるという問題を解決し、新しい無線に適用されるレイヤ２測定値の報告方法を与える。
【００２９】
一実施例において、上記ステップの実行主体は基地局等であってもよい。
一実施例において、通信ノードがレイヤ２測定値を取得することは、前記通信ノードの集中ユニットＣＵが、分散ユニットＤＵにより報告されたＤＵ側レイヤ２測定値を取得することと、前記通信ノードの集中ユニット制御プレーンＣＵ−ＣＰが、集中ユニットユーザプレーンＣＵ−ＵＰにより報告されたＣＵ−ＵＰ側レイヤ２測定値を取得することとの少なくとも１つを含む。
【００３０】
一実施例において、前記方法は、前記通信ノードのＣＵが、Ｆ１インタフェースを介してＤＵにより報告されたＤＵ側レイヤ２測定値を受信することと、前記通信ノードのＣＵ−ＣＰが、Ｅ１インタフェースを介してＣＵ−ＵＰにより報告されたＣＵ−ＵＰ側レイヤ２測定値を受信することとの少なくとも１つを含む。
【００３１】
一実施例において、前記通信ノードが前記レイヤ２測定値をトレース収集エンティティＴＣＥに送信することは、前記通信ノードのＣＵがＤＵにより報告されたＤＵ側レイヤ２測定値を取得し、前記ＤＵ側レイヤ２測定値を取得した後、ＤＵ側レイヤ２測定値およびＣＵ側レイヤ２測定値を前記ＴＣＥに報告することと、前記通信ノードのＣＵがＣＵ側レイヤ２測定値をＴＣＥに報告し、前記通信ノードのＤＵがＤＵ側レイヤ２測定値をＴＣＥに報告することとの１つを含む。
【００３２】
一実施例において、前記通信ノードのＤＵがＤＵ側レイヤ２測定値をＴＣＥに報告する前に、前記方法は、前記ＤＵがＦ１インタフェースシグナリングによって前記ＣＵから前記ＴＣＥのＩＰアドレスを取得することと、前記ＤＵがＯＡＭから前記ＴＣＥのＩＰアドレスを取得することとの少なくとも１つを更に含む。
【００３３】
一実施例において、前記通信ノードが前記レイヤ２測定値をトレース収集エンティティＴＣＥに送信することは、前記通信ノードのＣＵ−ＣＰがＣＵ−ＵＰ側レイヤ２測定値を取得し、前記ＣＵ−ＵＰ側レイヤ２測定値を取得した後、取得した前記レイヤ２測定値をＴＣＥに報告することと、前記通信ノードのＣＵ−ＵＰがＣＵ−ＵＰ側レイヤ２測定値を前記ＴＣＥに直接報告することとの１つを含む。
【００３４】
一実施例において、前記通信ノードのＣＵ−ＵＰがＣＵ−ＵＰ側レイヤ２測定値を前記ＴＣＥに報告する前に、前記ＣＵ−ＵＰがＥ１インタフェースシグナリングによって前記ＣＵ−ＣＰから前記ＴＣＥのＩＰアドレスを取得し、前記ＣＵ−ＵＰがＯＡＭから前記ＴＣＥのＩＰアドレスを取得する。
【００３５】
一実施例において、前記レイヤ２測定値は、上り・下りのパケットロス率、インタフェース遅延、エアインタフェース遅延、上り・下りのＰＲＢ使用率、ＲＲＣ接続数、および上り・下りのＵＥスループットの少なくとも１つを含む。
【００３６】
一実施例において、前記通信ノードが前記レイヤ２測定値をトレース収集エンティティＴＣＥに送信する前に、前記通信ノードはネットワーク管理システムＯＡＭからＴＣＥのＩＰアドレスを取得する。
【００３７】
実施例２
本発明の書類の別の実施例によれば、データ伝送方法を更に提供し、以下のステップを含む。
【００３８】
ステップ１において、分散ユニットＤＵはＤＵ側レイヤ２測定値を取得する。
ステップ２において、ＤＵは、前記ＤＵ側レイヤ２測定値を集中ユニットＣＵに送信するまたはトレース収集エンティティＴＣＥに直接送信する。
【００３９】
上記形態を採用し、通信ノードの分散ユニットＤＵはＤＵ側レイヤ２測定値を取得し、ＤＵ側レイヤ２測定値を集中ユニットＣＵまたはＴＣＥに報告し、関連技術における新しい無線に適用されるレイヤ２測定データの報告スキームが欠けるという問題を解決し、新しい無線に適用されるレイヤ２測定値の報告方法を与える。
【００４０】
一実施例において、ＤＵがＤＵ側レイヤ２測定値をＴＣＥに送信する過程において、ＣＵもＣＵ側レイヤ２測定値をＴＣＥに報告する。
【００４１】
一実施例において、前記ＤＵが前記ＤＵ側レイヤ２測定値をＣＵに送信することは、前記ＤＵがＦ１インタフェースを介して前記ＤＵ側レイヤ２測定値を前記ＣＵに送信することを含む。
【００４２】
一実施例において、前記ＤＵが前記ＤＵ側レイヤ２測定値をＴＣＥに送信する前に、前記ＤＵがＣＵから前記ＴＣＥのＩＰアドレスを取得することと、前記ＤＵがＯＡＭから前記ＴＣＥのＩＰアドレスを取得することとの１つを更に含む。
【００４３】
実施例３
本発明の書類の別の実施例によれば、データ伝送方法を更に提供し、以下のステップを含む。
【００４４】
ステップ１において、集中ユニットＣＵは分散ユニットＤＵにより伝送されたＤＵ側レイヤ２測定値を取得する。
【００４５】
ステップ２において、ＣＵは前記ＤＵ側レイヤ２測定値およびＣＵ側レイヤ２測定値をトレース収集エンティティＴＣＥに伝送する。
【００４６】
上記形態を採用し、通信ノードのＣＵはＤＵ伝送のＤＵ側レイヤ２測定値を取得した後、ＤＵ側レイヤ２測定値とＣＵ側レイヤ２測定値とを共にＴＣＥに報告する。関連技術における新しい無線に適用されるレイヤ２測定データの報告スキームが欠けるという問題を解決し、新しい無線に適用されるレイヤ２測定値の報告方法を与える。
【００４７】
本発明の書類の別の実施例によれば、データ伝送方法を更に提供し、以下のステップを含む。
【００４８】
ステップ１において、集中ユニットユーザプレーンＣＵ−ＵＰはＣＵ−ＵＰ側レイヤ２測定値を取得する。
【００４９】
ステップ２において、ＣＵ−ＵＰは、前記ＣＵ−ＵＰ側レイヤ２測定値を集中ユニット制御プレーンＣＵ−ＣＰに送信するまたはトレース収集エンティティＴＣＥに直接送信する。
【００５０】
上記形態を採用し、集中ユニットユーザプレーンと制御プレーンとが分離した場合、ユーザプレーンは自身のＣＵ−ＵＰ側レイヤ２測定値を取得し、ＣＵ−ＵＰ側レイヤ２測定値を制御プレーンＣＰに送信するまたはＴＣＥに直接送信する。関連技術における新しい無線に適用されるレイヤ２測定データの報告スキームが欠けるという問題を解決し、新しい無線に適用されるレイヤ２測定値の報告方法を与える。
【００５１】
上記技術案は、集中ユニットユーザプレーンと制御プレーンとが分離した場合の技術案を説明するためのものであり、集中ユニットと分散ユニットとが分離して設けられた場合との関係を限定せず、デバイスを分離した２種類の場合は同時に存在してもよい。
【００５２】
一実施例において、前記ＣＵ−ＵＰが前記ＣＵ−ＵＰ側レイヤ２測定値をＣＵ−ＣＰに送信することは、前記ＣＵ−ＵＰがＥ１インタフェースを介して前記ＣＵ−ＵＰ側レイヤ２測定値を前記ＣＵ−ＣＰに送信することを含む。
【００５３】
一実施例において、前記ＣＵ−ＵＰが前記ＣＵ−ＵＰ側レイヤ２測定値をＴＣＥに送信する前に、前記方法は、前記ＣＵ−ＵＰがＣＵ−ＣＰから前記ＴＣＥのＩＰアドレスを取得することと、前記ＣＵ−ＵＰがＯＡＭから前記ＴＣＥのＩＰアドレスを取得することとの１つを更に含む。
【００５４】
実施例４
本発明の別の実施例によれば、データ伝送方法を更に提供し、以下のステップを含む。
【００５５】
ステップ１において、集中ユニット制御プレーンＣＵ−ＣＰは集中ユニットユーザプレーンＣＵ−ＵＰにより伝送されたＣＵ−ＵＰ側レイヤ２測定値を取得する。
【００５６】
ステップ２において、前記ＣＵ−ＣＰは前記ＣＵ−ＵＰ側レイヤ２測定値をトレース収集エンティティＴＣＥに伝送する。
【００５７】
上記形態を採用し、集中ユニットユーザプレーンと制御プレーンとが分離した場合、制御プレーンはユーザプレーンからＣＵ−ＵＰ側レイヤ２測定値を取得し、ＣＵ−ＵＰ側レイヤ２測定値をＴＣＥに送信する。関連技術における新しい無線に適用されるレイヤ２測定データの報告スキームが欠けるという問題を解決し、新しい無線に適用されるレイヤ２測定値の報告方法を与える。
【００５８】
以下、本発明の具体的な実施例を参照しながら説明する。
関連通信において、ＣＵ／ＤＵ分離およびＣＰ／ＵＰ分離のシーンで、レイヤ２測定データは、基地局側の伝送および報告方法で明確に定義されていない。
【００５９】
実施例１
図３は、本発明の実施例１によるｇＮＢ−ＣＵがレイヤ２測定レポートを一括して報告する模式図であり、図３に示すように、以下のステップを含む。
【００６０】
ステップ１において、ｇＮＢ−ＤＵは、ｇＮＢ−ＤＵが統計したレイヤ２測定データを測定レポートに基づきｇＮＢ−ＣＵに報告する。
【００６１】
ステップ２において、ｇＮＢ−ＣＵは、ｇＮＢ−ＣＵが統計したレイヤ２測定データとｇＮＢ−ＤＵにより報告されたレイヤ２測定データとを統合し、測定レポートに基づきＴＣＥに報告する。
【００６２】
実施例２
図４は、本発明の実施例２によるＣＵおよびＤＵがレイヤ２測定レポートをそれぞれ報告する模式図であり、図４に示すように、以下のステップを含む。
【００６３】
ステップ１において、ｇＮＢ−ＣＵは、ＵＥテキスト確立要求またはＵＥテキスト変更要求メッセージにより、ＴＣＥのＩＰアドレスを含むＭＤＴ設定をｇＮＢ−ＤＵに送信する。
【００６４】
ステップ２において、ｇＮＢ−ＤＵは、ＴＣＥのＩＰアドレスを受信すると、レイヤ２測定レポートに基づきｇＮＢ−ＤＵ側が統計したレイヤ２測定データをＴＣＥに直接報告する。
【００６５】
ステップ３において、ｇＮＢ−ＣＵは、レイヤ２測定レポートに基づきｇＮＢ−ＣＵ側が統計したレイヤ２測定データをＴＣＥに報告する。
【００６６】
実施例３
図５は、本発明の実施例３によるｇＮＢ−ＤＵがＯＡＭからＴＣＥのＩＰアドレスを取得した後にｇＮＢ−ＣＵおよびｇＮＢ−ＤＵがレイヤ２測定レポートをそれぞれ報告する模式図であり、図５に示すように、以下のステップを含む。
【００６７】
ステップ１において、ｇＮＢ−ＤＵがＯＡＭによりＴＣＥのＩＰアドレスを取得した後、ｇＮＢ−ＤＵは、レイヤ２測定レポートに基づきｇＮＢ−ＤＵ側が統計したレイヤ２測定データをＴＣＥに直接報告する。
【００６８】
ステップ２において、ｇＮＢ−ＣＵは、レイヤ２測定レポートに基づきｇＮＢ−ＣＵ側が統計したレイヤ２測定データをＴＣＥに報告する。
【００６９】
実施例４
図６は、本発明の実施例４によるｇＮＢ−ＣＵ−ＣＰがレイヤ２測定レポートを報告する模式図であり、図６に示すように、以下のステップを含む。
【００７０】
ステップ１において、ｇＮＢ−ＣＵ−ＵＰは、ｇＮＢ−ＣＵ−ＵＰが統計したレイヤ２測定データを測定レポートに基づきｇＮＢ−ＣＵ−ＣＰに報告する。
【００７１】
ステップ２において、ｇＮＢ−ＣＵ−ＣＰは、取得したレイヤ２測定データを測定レポートに基づきＴＣＥに報告する。
【００７２】
実施例５
図７は、本発明の実施例５によるｇＮＢ−ＣＵ−ＵＰがｇＮＢ−ＣＵ−ＣＰからＭＤＴ設定を取得した後にｇＮＢ−ＣＵ−ＵＰがレイヤ２測定レポートを直接報告する模式図であり、図７に示すように、以下のステップを含む。
【００７３】
ステップ１において、ｇＮＢ−ＣＵ−ＣＰは、ベアラテキスト確立要求またはベアラテキスト変更要求メッセージにより、ＴＣＥのＩＰアドレスを含むＭＤＴ設定をｇＮＢ−ＣＵ−ＵＰに送信する。
【００７４】
ステップ２において、ｇＮＢ−ＣＵ−ＵＰは、ＴＣＥのＩＰアドレスを受信すると、レイヤ２測定レポートに基づきｇＮＢ−ＣＵ−ＵＰ側が統計したレイヤ２測定データをＴＣＥに直接報告する。
【００７５】
実施例６
図８は、本発明の実施例６によるｇＮＢ−ＣＵ−ＵＰがＯＡＭからＴＣＥのＩＰアドレスを取得した後にｇＮＢ−ＣＵ−ＵＰがレイヤ２測定レポートを直接報告する模式図であり、図８に示すように、以下のステップを含む。
【００７６】
ステップ１において、ｇＮＢ−ＣＵ−ＵＰがＯＡＭによりＴＣＥのＩＰアドレスを取得した後、ｇＮＢ−ＣＵ−ＵＰは、レイヤ２測定レポートに基づきｇＮＢ−ＣＵ−ＵＰ側が統計したレイヤ２測定データをＴＣＥに直接報告することができる。
【００７７】
本発明が提出するレイヤ２測定データ伝送および報告方法を採用することにより、ＣＵ／ＤＵ分離およびＣＰ／ＵＰ分離の場合、レイヤ２測定データの異なるエンティティ間における伝達および報告方式を明確することができ、関連分野の空白を埋める。
【００７８】
以上の実施形態の説明により、当業者は、上記実施例による方法がソフトウェアに必要な汎用ハードウェアプラットフォームを加えた方式で実現でき、もちろん、ハードウェアによっても実現できるが、多くの場合、前者の方はより好ましい実施形態であることを明らかに理解できる。このような理解に基づき、本発明の技術案は、本質的または従来に技術に貢献する部分がソフトウェア製品の形式で具現化でき、該コンピュータソフトウェア製品は１つの記憶媒体（例えば、ＲＯＭ／ＲＡＭ、磁気ディスク、光ディスク）に記憶され、１台の端末装置（携帯電話、コンピュータ、サーバ、またはネットワークデバイス等）に本発明のいずれかの実施例に記載の方法を行なうための複数の命令を含む。
【００７９】
実施例５
本実施例において、上記実施例を実現するためのデータ伝送装置を更に提供する。以下に使用されるように、「モジュール」という用語は、所定の機能のソフトウェアおよび／またはハードウェアの組み合わせを実現することができる。
【００８０】
本発明の別の実施例によれば、通信ノードに適用され、取得モジュールと送信モジュールとを備えるデータ伝送装置を更に提供する。取得モジュールは第１取得モジュールであってもよく、送信モジュールは第１送信モジュールであってもよい。
【００８１】
第１取得モジュールは、レイヤ２測定値を取得するように構成される。
第１送信モジュールは、前記レイヤ２測定値をトレース収集エンティティＴＣＥに送信するように構成される。
【００８２】
上記ステップにより、通信ノードはレイヤ２測定値を取得し、レイヤ２測定値をＴＣＥに報告し、関連技術における新しい無線に適用されるレイヤ２測定データの報告スキームが欠けるという問題を解決し、新しい無線に適用されるレイヤ２測定値の報告方法を与える。
【００８３】
本発明の別の実施例によれば、分散ユニットＤＵに適用され、取得モジュールと送信モジュールとを備えるデータ伝送装置を更に提供する。取得モジュールは第２取得モジュールであってもよく、送信モジュールは第２送信モジュールであってもよい。
【００８４】
第２取得モジュールは、ＤＵ側レイヤ２測定値を取得するように構成される。
第２送信モジュールは、前記ＤＵ側レイヤ２測定値を集中ユニットＣＵに送信するまたはトレース収集エンティティＴＣＥに直接送信するように構成される。
【００８５】
上記形態を採用し、通信ノードの分散ユニットＤＵはＤＵ側レイヤ２測定値を取得し、ＤＵ側レイヤ２測定値を集中ユニットＣＵまたはＴＣＥに報告し、関連技術における新しい無線に適用されるレイヤ２測定データの報告スキームが欠けるという問題を解決し、新しい無線に適用されるレイヤ２測定値の報告方法を与える。
【００８６】
本発明の別の実施例によれば、集中ユニットに適用され、取得モジュールと送信モジュールとを備えるデータ伝送装置を更に提供する。取得モジュールは第３取得モジュールであってもよく、送信モジュールは第３送信モジュールであってもよい。
【００８７】
第３取得モジュールは、分散ユニットＤＵにより伝送されたＤＵ側レイヤ２測定値を取得するように構成される。
【００８８】
第３送信モジュールは、前記ＤＵ側レイヤ２測定値およびＣＵ側レイヤ２測定値をトレース収集エンティティＴＣＥに伝送するように構成される。
【００８９】
上記形態を採用し、通信ノードのＣＵは、ＤＵにより伝送されたＤＵ側レイヤ２測定値を取得した後、ＤＵ側レイヤ２測定値とＣＵ側レイヤ２測定値とを共にＴＣＥに報告する。関連技術における新しい無線に適用されるレイヤ２測定データの報告スキームが欠けるという問題を解決し、新しい無線に適用されるレイヤ２測定値の報告方法を与える。
【００９０】
本発明の別の実施例によれば、集中ユニットユーザプレーンＣＵ−ＵＰに適用され、取得モジュールと送信モジュールとを備えるデータ伝送装置を更に提供する。取得モジュールは第４取得モジュールであってもよく、送信モジュールは第４送信モジュールであってもよい。
【００９１】
第４取得モジュールは、ＣＵ−ＵＰ側レイヤ２測定値を取得するように構成される。
第４送信モジュールは、前記ＣＵ−ＵＰ側レイヤ２測定値を集中ユニット制御プレーンＣＵ−ＣＰに送信するまたはトレース収集エンティティＴＣＥに直接送信するように構成される。
【００９２】
上記形態を採用し、集中ユニットユーザプレーンと制御プレーンとが分離した場合、ユーザプレーンは自身のＣＵ−ＵＰ側レイヤ２測定値を取得し、ＣＵ−ＵＰ側レイヤ２測定値を制御プレーンＣＰまたはＣＵ−ＵＰ側レイヤ２測定値をＴＣＥに送信する。関連技術における新しい無線に適用されるレイヤ２測定データの報告スキームが欠けるという問題を解決し、新しい無線に適用されるレイヤ２測定値の報告方法を与える。
【００９３】
本発明の別の実施例によれば、集中ユニット制御プレーンＣＵ−ＣＰに適用され、取得モジュールと送信モジュールとを備えるデータ伝送装置を更に提供する。取得モジュールは第５取得モジュールであってもよく、送信モジュールは第５送信モジュールであってもよい。
【００９４】
第５取得モジュールは、集中ユニットユーザプレーンＣＵ−ＵＰにより伝送されたＣＵ−ＵＰ側レイヤ２測定値を取得するように構成される。
【００９５】
第５送信モジュールは、前記ＣＵ−ＵＰ側レイヤ２測定値をトレース収集エンティティＴＣＥに伝送するように構成される。
【００９６】
上記形態を採用し、集中ユニットユーザプレーンと制御プレーンとが分離した場合、制御プレーンはユーザプレーンからＣＵ−ＵＰ側レイヤ２測定値を取得し、ＣＵ−ＵＰ側レイヤ２測定値とＣＵ−ＣＰ側レイヤ２測定値とを共にＴＣＥに送信する。関連技術における新しい無線に適用されるレイヤ２測定データの報告スキームが欠けるという問題を解決し、新しい無線に適用されるレイヤ２測定値の報告方法を与える。
【００９７】
なお、上記各モジュールは、ソフトウェアまたはファームウェアで実現することができ、後者の場合、上記モジュールが全て同一のプロセッサに位置するという方式、または、上記各モジュールが任意の組み合わせの形式で異なるプロセッサにそれぞれ位置するという方式により実現できるが、これらに限定されない。
【００９８】
実施例６
本発明の実施例は、記憶媒体を更に提供する。本実施例において、上記記憶媒体は、上記いずれかのデータ伝送方法を行なうためのプログラムコードを記憶するように構成できる。
【００９９】
一実施例において、上記記憶媒体に記憶されたプログラムコードが実行されると、以下のステップを実現することができる。
【０１００】
Ｓ１において、通信ノードはレイヤ２測定値を取得する。
Ｓ２において、前記通信ノードは前記レイヤ２測定値をトレース収集エンティティＴＣＥに送信する。
【０１０１】
本実施例において、上記記憶媒体は、ＵＳＢ、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、リムーバブルハードディスク、磁気ディスクまたは光ディスク等の様々なコンピュータプログラムを記憶可能な媒体を含んでもよいが、これらに限定されない。
【０１０２】
本発明の実施例は、メモリとプロセッサとを備え、該メモリにコンピュータプログラムが記憶され、該プロセッサは、上記いずれかのデータ伝送方法を行なうためにコンピュータプログラムを実行させるように構成される電子装置を更に提供する。
【０１０３】
一実施例において、上記電子装置は、伝送装置と入出力デバイスとを更に備えてもよく、ここで、該伝送装置は上記プロセッサに接続され、該入出力デバイスは上記プロセッサに接続される。
【０１０４】
本実施例において、上記プロセッサは、コンピュータプログラムにより以下ステップを実行するように構成される。
【０１０５】
Ｓ１において、通信ノードはレイヤ２測定値を取得する。
Ｓ２において、前記通信ノードは前記レイヤ２測定値をトレース収集エンティティＴＣＥに送信する。
【０１０６】
本実施例における例は、上記いずれかの実施例で説明された例を参照することができる。
【０１０７】
明らかに、当業者であれば、上記本発明の各モジュールまたは各ステップは汎用の計算装置で実現でき、それらは、単一の計算装置に集中されてもよいし、または複数の計算装置からなるネットワークに分布されてもよく、好ましくは、それらは、計算装置実行可能プログラムコードで実現でき、これにより、それらを記憶装置中に記憶して計算装置により実行することができ、且つ、ある場合、ここでの順序と異なる順序で示されたまたは説明されたステップを実行してもよく、あるいは、それらをそれぞれ複数の集積回路モジュールに作製し、またはそれらにおける複数のモジュールまたはステップを単一の集積回路モジュールに作製して実現する。このように、本発明は、任意の特定のハードウェアとソフトウェアとの組み合わせに限定されない。
【図１】
2022502945.tif 000003
【図２】
2022502945.tif 000004
【図３】
2022502945.tif 000005
【図４】
2022502945.tif 000006
【図５】
2022502945.tif 000007
【図６】
2022502945.tif 000008
【図７】
2022502945.tif 000009
【図８】
2022502945.tif 000010
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
通信ノードがレイヤ２測定値を取得することと、
前記通信ノードが前記レイヤ２測定値をトレース収集エンティティＴＣＥに送信することとを含む、
データ伝送方法。
【請求項２】
前記通信ノードが前記レイヤ２測定値をトレース収集エンティティＴＣＥに送信することは、
前記通信ノードのＣＵがＤＵにより報告されたＤＵ側レイヤ２測定値を取得し、前記ＤＵ側レイヤ２測定値を取得した後、前記ＤＵ側レイヤ２測定値およびＣＵ側レイヤ２測定値を前記ＴＣＥに報告することと、
前記通信ノードのＣＵが前記ＣＵ側レイヤ２測定値を前記ＴＣＥに報告し、前記通信ノードのＤＵが前記ＤＵ側レイヤ２測定値を前記ＴＣＥに直接報告することと、の１つを含む、
請求項１に記載の方法。
【請求項３】
前記通信ノードのＤＵが前記ＤＵ側レイヤ２測定値を前記ＴＣＥに直接報告する前に、
前記ＤＵがＦ１インタフェースシグナリングによって前記ＣＵから前記ＴＣＥのＩＰアドレスを取得することを更に含む、
請求項２に記載の方法。
【請求項４】
前記通信ノードが前記レイヤ２測定値をトレース収集エンティティＴＣＥに送信することは、
前記通信ノードのＣＵ−ＵＰがＣＵ−ＵＰ側レイヤ２測定値を前記ＴＣＥに直接報告することを含む、
請求項１に記載の方法。
【請求項５】
前記通信ノードのＣＵ−ＵＰが前記ＣＵ−ＵＰ側レイヤ２測定値を前記ＴＣＥに直接報告する前に、
前記ＣＵ−ＵＰがＥ１インタフェースシグナリングによって前記ＣＵ−ＣＰから前記ＴＣＥのＩＰアドレスを取得することを更に含む、
請求項４に記載の方法。
【請求項６】
前記レイヤ２測定値は、
上り・下りのパケットロス率、インタフェース遅延、エアインタフェース遅延、上り・下りのＰＲＢ使用率、ＲＲＣ接続数、上り・下りのＵＥスループット、の少なくとも１つを含む、
請求項１〜５のいずれか１項に記載の方法。
【請求項７】
分散ユニットＤＵがＤＵ側レイヤ２測定値を取得することと、
ＤＵが前記ＤＵ側レイヤ２測定値をトレース収集エンティティＴＣＥに直接送信することと、を含む、
データ伝送方法。
【請求項８】
ＤＵが前記ＤＵ側レイヤ２測定値をＴＣＥに直接送信する前に、
前記ＤＵがＣＵから前記ＴＣＥのＩＰアドレスを取得することを更に含む、
請求項７に記載の方法。
【請求項９】
集中ユニットＣＵがＣＵ側レイヤ２測定値をトレース収集エンティティＴＣＥに伝送することを含む、
データ伝送方法。
【請求項１０】
集中ユニットユーザプレーンＣＵ−ＵＰがＣＵ−ＵＰ側レイヤ２測定値を取得することと、
ＣＵ−ＵＰが前記ＣＵ−ＵＰ側レイヤ２測定値をトレース収集エンティティＴＣＥに直接送信することと、を含む、
データ伝送方法。
【請求項１１】
ＣＵ−ＵＰが前記ＣＵ−ＵＰ側レイヤ２測定値をＴＣＥに直接送信する前に、
前記ＣＵ−ＵＰがＣＵ−ＣＰから前記ＴＣＥのＩＰアドレスを取得することを更に含む、
請求項１０に記載の方法。
【請求項１２】
通信ノードに適用され、
レイヤ２測定値を取得するように構成される取得モジュールと、
前記レイヤ２測定値をトレース収集エンティティＴＣＥに送信するように構成される送信モジュールと、を備える、
データ伝送装置。
【請求項１３】
分散ユニットＤＵに適用され、
ＤＵ側レイヤ２測定値を取得するように構成される取得モジュールと、
前記ＤＵ側レイヤ２測定値をトレース収集エンティティＴＣＥに送信するように構成される送信モジュールと、を備える、
データ伝送装置。
【請求項１４】
集中ユニットに適用され、
ＣＵ側レイヤ２測定値をトレース収集エンティティＴＣＥに伝送するように構成される送信モジュールを備える、
データ伝送装置。
【請求項１５】
集中ユニットユーザプレーンＣＵ−ＵＰに適用され、
ＣＵ−ＵＰ側レイヤ２測定値を取得するように構成される取得モジュールと、
前記ＣＵ−ＵＰ側レイヤ２測定値をトレース収集エンティティＴＣＥに送信するように構成される送信モジュールと、を備える、
データ伝送装置。
【請求項１６】
実行されると前記請求項１〜１１のいずれか１項に記載の方法を実現するように設定されるコンピュータプログラムが記憶されている、
記憶媒体。
【請求項１７】
メモリとプロセッサとを備え、
前記メモリにコンピュータプログラムが記憶され、
前記プロセッサは、前記請求項１〜１１のいずれか１項に記載の方法を実現するために前記コンピュータプログラムを実行させるように構成される、
電子装置。
【国際調査報告】
2022502945.tif 000011
2022502945.tif 000012
2022502945.tif 000013
2022502945.tif 000014
2022502945.tif 000015
2022502945.tif 000016